(57)【要約】【課題】従来よりも演出効果を高める。【解決手段】第２の光源２の光は背景壁面Ｗの上方に照射され、且つ第２配光特性Ｘ２は相対的に平坦になっている。一方、第１の光源１の光は、背景壁面Ｗにおいて第２の光源２の光よりも下方に照射される。さらに、第１配光特性Ｘ１は、周囲よりも照度の高い領域(いわゆる光溜まり)を形成するような配光特性となっている。したがって、本実施形態の配光特性(合成配光特性Ｘ０)は、背景壁面Ｗの下方に光溜まりを形成しつつ、背景壁面Ｗの上方に向かって徐々に照度が低下していくような伸びのある配光特性となる。故に、本実施形態では、壁面の下方から上方にかけてほぼ均一に照明することを目的とした特許文献１記載の従来例と比較して、演出効果を高めることができる。【選択図】        図１
2014127380.tif 000002
【特許請求の範囲】
【請求項１】
設置面に対して垂直方向に起立する対象物を照明する照明装置であって、
第１の光源と、第２の光源と、前記第１の光源が放射する光を前記対象物に向けて反射する反射部と、前記第１及び第２の光源と前記反射部を収容して前記設置面に設置される筐体とを備え、
前記第１の光源は、光軸を前記反射部の反射面に向けるように前記筐体に収容され、前記反射部は、前記第１の光源から放射され且つ前記反射面で反射される光を、前記対象物における前記設置面から遠方の部位に照射するように前記筐体に収容され、前記第２の光源は、前記対象物における前記遠方の部位よりも前記設置面に近い部位に光を照射するように前記筐体に収容されることを特徴とする照明装置。
【請求項２】
前記第２の光源から放射される光の配光を制御する配光制御部を備えることを特徴とする請求項１記載の照明装置。
【請求項３】
前記反射部は、前記垂直方向の断面形状が放物線となる曲面形状の前記反射面を有することを特徴とする請求項１又は２記載の照明装置。
【発明の詳細な説明】
【技術分野】
【０００１】
本発明は、照明装置に関し、特にホリゾントライトと呼ばれる壁面照明用の照明装置に関する。
【背景技術】
【０００２】
従来例として、特許文献１に記載されているホリゾントライトを例示する。なお、ホリゾントライトとは、テレビ局のスタジオや舞台などの背景壁面を照明する用途に用いられる照明装置(照明器具)である。
【０００３】
特許文献１記載の従来例は、床に設置されて壁面を照明する場合において、壁面の上方に照明光を直接照射する直接光用ＬＥＤ光源と、反射板に反射させた照明光を壁面の下方に照射する反射光用ＬＥＤ光源と、反射面が波板状に形成された反射板とを備える。また、直接光用ＬＥＤ光源は、床面に近い第１の部分と床面から離れた第２の部分とに分割された配光レンズを有し、第１の部分が広角配光部とされ、第２の部分が中角配光部とされている。
【０００４】
この従来例は、壁面の上方(床面から離れた箇所)における照度の差を減少させるとともに、壁面の下方(床面に近い箇所)を均一に照明することができる。
【先行技術文献】
【特許文献】
【０００５】
【特許文献１】特開２０１０−２７２２３２号公報
【発明の概要】
【発明が解決しようとする課題】
【０００６】
特許文献１記載の従来例は、壁面の下方から上方にかけてほぼ均一に照明することを目的としている。しかしながら、背景壁面を均一に照明したいという要望がある一方で、周囲よりも照度の高い領域(いわゆる光溜まり)を形成することで演出効果を高めたいという要望もある。そして、特許文献１記載の従来例では、後者の要望を叶えるような照明を行うことは困難である。
【０００７】
本発明は、上記課題に鑑みて為されたものであり、従来よりも演出効果を高めることを目的とする。
【課題を解決するための手段】
【０００８】
本発明の照明装置は、設置面に対して垂直方向に起立する対象物を照明する照明装置であって、第１の光源と、第２の光源と、前記第１の光源が放射する光を前記対象物に向けて反射する反射部と、前記第１及び第２の光源と前記反射部を収容して前記設置面に設置される筐体とを備え、前記第１の光源は、光軸を前記反射部の反射面に向けるように前記筐体に収容され、前記反射部は、前記第１の光源から放射され且つ前記反射面で反射される光を、前記対象物における前記設置面から遠方の部位に照射するように前記筐体に収容され、前記第２の光源は、前記対象物における前記遠方の部位よりも前記設置面に近い部位に光を照射するように前記筐体に収容されることを特徴とする。
【０００９】
この照明装置において、前記第２の光源から放射される光の配光を制御する配光制御部を備えることが好ましい。
【００１０】
この照明装置において、前記反射部は、前記垂直方向の断面形状が放物線となる曲面形状の前記反射面を有することが好ましい。
【発明の効果】
【００１１】
本発明の照明装置は、対象物における設置面に近い部位に光溜まりを形成しつつ、設置面よりも遠方に向かって徐々に照度が低下していくような伸びのある配光特性を実現するので、従来よりも演出効果を高めることができるという効果がある。
【図面の簡単な説明】
【００１２】
【図１】本発明に係る照明装置の実施形態の配光特性を説明するための説明図である。
【図２】同上の断面図である。
【図３】同上の斜視図である。
【図４】同上の別の構成を示す断面図である。
【図５】同上のさらに別の構成を示す斜視図である。
【図６】同上のさらに別の構成を示す断面図である。
【発明を実施するための形態】
【００１３】
以下、図面を参照して、本発明に係る照明装置の実施形態を詳細に説明する。ただし、以下に説明する各実施形態では、スタジオや舞台の背景壁面(ホリゾント)を照明の対象物とするが、対象物は背景壁面に限定されるものではない。
【００１４】
本実施形態の照明装置(ホリゾントライト)は、図２及び図３に示すように、第１の光源１、第２の光源２、反射部３、筐体４、配光制御部５などで構成される。ただし、以下の説明では、特に断りの無い限り、図３において前後左右上下の各方向を規定する。
【００１５】
第１の光源１は、一方の底面(前底面)から光を放射する円筒形状のＬＥＤユニット10と、ＬＥＤユニット10の他方の底面(後底面)から突出する複数の放熱フィン11とを備える。ＬＥＤユニット10は、アルミ又はアルミ合金によって前底面が開口する円筒形状に形成されたケースの内部に、ＬＥＤモジュール(図示せず)が収納されてなる。このＬＥＤモジュールは、例えば、セラミックス基板の表面にＬＥＤチップが実装されて構成される。また、ＬＥＤチップは、透光性を有し且つ蛍光材料が混合された合成樹脂製の封止部材で封止される。すなわち、ＬＥＤチップから放射される光(例えば、青色光)の一部が蛍光材料で波長変換され、波長変換された光(例えば、黄色光)と波長変換されなかった光(青色光)が混ざることにより、ＬＥＤモジュールから放射される光(第１の光源１から放射される光)が全体として白色光となる。なお、ケースの開口面(前底面)は、透光性を有するカバーで閉塞される。
【００１６】
第２の光源２は、前底面から光を放射する円筒形状のＬＥＤユニット20と、ＬＥＤユニット20の後底面から後方へ突出する複数の放熱フィン21とを備える。ただし、ＬＥＤユニット20は第１の光源１のＬＥＤユニット10と同一の構成を有しているので、詳細な説明は省略する。
【００１７】
筐体４は、矩形平板状の底板40、底板40の後端縁から上向きに立ち上がる矩形平板状の背板41、底板40の左右両端縁から上向きに立ち上がる一対の側板42、底板40の前端縁から上向きに立ち上がる矩形平板状の前板43などを有する。また、背板41の上端縁から矩形平板状の天板44が前方へ突出し、前板43の上端縁からコ字形の枠板45が後方へ突出している。さらに、側板42は、前後方向に沿って段差を有し、後方の上辺420から前方の下辺421に向かって直線的に傾斜する傾斜辺422を有している。
【００１８】
筐体４の上面及び前面には、第１及び第２の光源１，２から放射される光を対象物(背景壁面Ｗ)に向けて照射する照射口46が、天板44の前端縁から枠板45の後端縁にかけて開口している。
【００１９】
また、底板40並びに前板43、天板44には、それぞれ多数の通気孔400，430，440が前後左右又は左右に並べて設けられている。つまり、底板40の通気孔400及び前板43の通気孔430から導入される外気でＬＥＤユニット10，20を冷却し、ＬＥＤユニット10，20が発する熱で暖められた空気を天板44の通気孔440から筐体４の外へ放出することにより、ＬＥＤユニット10，20の放熱を促進している。
【００２０】
また、各側板42の上部に、合成樹脂製の持ち手部47がそれぞれ埋込配設されており、持ち手部47によって筐体４を持ち上げ易くしている。なお、側板42の後端部には凹所423が形成されており、この凹所423の底に、電源ケーブル(図示せず)などの引き込み口などが設けられている。なお、図示は省略しているが、ＬＥＤユニット10，20に給電して発光(点灯)させる電源装置が筐体４内に収容されており、前記電源ケーブルが前記電源装置に接続される。
【００２１】
第１の光源１は、左右方向に並ぶように前板43に２つ取り付けられる。前板43には、ＬＥＤユニット10が挿通される２つの挿通孔が貫通している。つまり、第１の光源１は、ＬＥＤユニット10を挿通孔に挿通して筐体４内に収容され、且つ放熱フィン11を筐体４の外に露出させるようにして前板43に取り付けられる。このように放熱フィン11を筐体４の外に露出させることにより、放熱フィン11の放熱性の向上を図ることができる。
【００２２】
反射部３は、前後方向及び上下方向の断面形状が放物線となる曲面形状(樋状)に形成され、内周面が鏡面(反射面)に加工されている。この反射部３は、反射面を照射口46から筐体４の外に臨ませるとともに、第１の光源１の光軸L1を反射面に交差させるようにして、筐体４内に収容される(図２参照)。
【００２３】
第２の光源２は、左右方向に２つ並べて筐体４に収容される。背板41に、筐体４内に凹んだ凹部が設けられている。凹部の上壁410は前方に向かって下方に傾斜し、且つＬＥＤユニット20が挿通される２つの挿通孔が貫通している。第２の光源２は、ＬＥＤユニット20を挿通孔に挿通し、且つ放熱フィン21を筐体４の外に露出させるようにして筐体４内に収容される。なお、第２の光源２は、筐体４内に設けられる取付板48に取り付けられる。取付板48は、矩形平板状の取付部を有し、取付部に設けられる２つの取付孔に前端部を挿通させた状態でそれぞれＬＥＤユニット20が取り付けられる。このように放熱フィン21を筐体４の外に露出させることにより、放熱フィン21の放熱性の向上を図ることができる。
【００２４】
配光制御部５は、上反射板50と、一対の左反射板51及び右反射板52と、下反射板53とで構成される。上反射板50は、矩形平板状に形成され、上端が天板44の前端に接するとともに下端が取付板48に接するように配設される。また、下反射板53は、矩形平板状であり、且つ下端が取付板48に接するとともに上端が反射部３よりも上に突出しない寸法に形成されている。各一対の左反射板51及び右反射板52は台形状に形成され、上端が上反射板50に接するとともに下端が下反射板53に接するように配設される。なお、これら４種類の反射板50〜53は、何れもＬＥＤユニット20に臨む内側面が鏡面に加工されている。
【００２５】
すなわち、ＬＥＤユニット20が筐体４の照射口46よりも奥側に配置されているため、配光制御部５が無い場合、ＬＥＤユニット20の光が天板44の前端や反射部３の後端でけられてしまう可能性がある。一方、配光制御部５を設けることにより、天板44の前端や反射部３の後端でけられることがないため、ＬＥＤユニット20の光を効率よく対象物(背景壁面Ｗ)に照射することができる。ただし、図４に示すように、ＬＥＤユニット20の前端が、天板44の前端よりも前方且つ反射部３の上端よりも上方に位置するように、第２の光源２を筐体４内に収容すれば、配光制御部５を省略することができる。
【００２６】
本実施形態の使用状態を図１に示す。本実施形態は、照射口46を背景壁面Ｗに向け且つ背景壁面Ｗから離れた床Ｆに設置される。図１では、第１の光源１が照射する光の配光特性(第１配光特性)Ｘ１を破線で示し、第２の光源２が照射する光の配光特性(第２配光特性)Ｘ２を２点破線で示し、２つの配光特性を合成した配光特性(合成配光特性)Ｘ０を実線で示している。ただし、図１においては、各配光特性Ｘ０，Ｘ１，Ｘ２における照度の大きさを背景壁面Ｗからの距離で表している。
【００２７】
図１から判るように、第２の光源２の光は背景壁面Ｗの上方に照射され、且つ第２配光特性Ｘ２は相対的に平坦になっている。一方、第１の光源１の光は、背景壁面Ｗにおいて第２の光源２の光よりも下方に照射される。さらに、第１配光特性Ｘ１は、周囲よりも照度の高い領域(いわゆる光溜まり)を形成するような配光特性となっている。したがって、本実施形態の配光特性(合成配光特性Ｘ０)は、背景壁面Ｗの下方に光溜まりを形成しつつ、背景壁面Ｗの上方に向かって徐々に照度が低下していくような伸びのある配光特性となる。故に、本実施形態では、壁面の下方から上方にかけてほぼ均一に照明することを目的とした特許文献１記載の従来例と比較して、演出効果を高めることができる。
【００２８】
ここで、図５及び図６に示すように、第１及び第２の光源１，２を、放熱フィン11，21を含めて筐体４内に完全に収容し、且つ２つの第１の光源１の間に１つの第２の光源２を配置しても構わない。このような構成とすれば、図２〜図４に示した構成と比較して、筐体４の小型化を図ることができる。なお、図５及び図６に示した実施形態では、透光性を有するカバー49で筐体４の照射口46を塞いでいる。
【符号の説明】
【００２９】
１  第１の光源
２  第２の光源
３  反射部
４  筐体
Ｘ０  合成配光特性
Ｘ１  第１配光特性
Ｘ２  第２配光特性
【図１】
2014127380.tif 000003
【図２】
2014127380.tif 000004
【図３】
2014127380.tif 000005
【図４】
2014127380.tif 000006
【図５】
2014127380.tif 000007
【図６】
2014127380.tif 000008